(57)【要約】【課題】デジタルカメラや携帯電話器等の形態機器において、バッテリ装置を薄型化することで、機器全体としての薄型化を達成する。【解決手段】携帯機器に電力を供給するバッテリ装置自体に、携帯機器とデータ交信を行なう記録部を、着脱可能または一体不可分に設ける。その結果、独立した別個のメモリーカードが省略され、また、バッテリ装置とメモリーカードとの間にスペースを確保する必要がない分だけ、機器全体としての薄型化を達成することができる。【選択図】  図３
2004213925.tif 000002
【特許請求の範囲】
【請求項１】
携帯機器のバッテリスロットに装着して使用するバッテリ装置であって、
携帯機器との間でデータ交信を行なうためのデータ交信用接続端子を備えた記録媒体を着脱可能に保持する記録媒体保持部と、
携帯機器に対して電力を供給するための電源接続用接続端子と、を備えたことを特徴とするバッテリ装置。
【請求項２】
前記記録媒体保持部は、記録媒体の外表面がバッテリ装置の外表面と面一になり、かつ記録媒体のデータ交信用接続端子が外部に露出するよう、記録媒体を保持することを特徴とする、請求項１記載のバッテリ装置。
【請求項３】
前記記録媒体保持部は、スロット式に記録媒体を受け入るものであって、
バッテリ装置の外表面には、スロット内に保持された記録媒体のデータ交信用接続端子に導通する記録媒体用接続端子が設けられていて、保持された記録媒体は、当該記録媒体用接続端子を介して、携帯機器との間でデータ交信を行なうことを特徴とする、請求項１記載のバッテリ装置。
【請求項４】
撮像機構を備えた携帯機器のバッテリスロットに装着して使用するバッテリ装置であって、
バッテリスロットに装着されたときに携帯機器に対して電力を供給するための電源接続用接続端子と、
撮像機構によって撮影された画像データを記憶するフラッシュメモリ部と、
携帯機器とフラッシュメモリ部との間でデータ交信を行なうためのデータ交信用接続端子と、を備えたことを特徴とするバッテリ装置。
【請求項５】
請求項１〜４のいずれか１つに記載のバッテリ装置を装着可能なバッテリスロットを備えたことを特徴とする携帯機器。
【発明の詳細な説明】
【０００１】
【発明の属する技術分野】
本発明は、データ記憶機能を備えたバッテリ装置に関する。
【０００２】
【従来の技術および発明が解決しようとする課題】
近年のデジタルカメラの普及は著しく、その小型化・薄型化に対する要求はますます大きくなっている。
【０００３】
本願出願人は、ズーム用のレンズ群をカメラの高さ方向に移動させることで、光学ズーム機能を備えながら、ズームレンズが飛び出すことの無い薄型デジタルカメラを近年開発した。そのようなデジタルカメラにおける鏡胴部分の縦断面図を図１に示している。カメラ前面に設けた入射窓101から進入した撮影光100は、屈曲用ミラー101で90°の角度をもって反射し、レンズ群を通過して撮像用ＣＣＤ103に導かれる。
【０００４】
このカメラは、ズーミング時においてもカメラ前面からのレンズの飛び出しが無いため、薄型でコンパクトであるというイメージが強い。このようなカメラにおいては、カメラ本体のさらなる薄型化を達成することの意義が非常に大きい。
【０００５】
一方、一般的に薄型デジタルカメラにおいては、板状のバッテリおよびメモリーカードを別々のスロットに挿入する構成が採用されているが、さらなる薄型化を達成するためには、これらを一体化することが考えられる。
【０００６】
従来から、バッテリと揮発性メモリとを一体化したＰＣカードが知られている（例えば、特許文献１参照）。しかしこれは、情報処理装置において、装置の大型化を招くことなく、電源オフ直前の状態を電源オン時に復元するために、リフレッシュ動作のための電力を供給するバッテリをＰＣメモリカードに組み込んだものである。つまり、このバッテリは、当該ＰＣメモリカードの外部に電源を供給することはできない。
【０００７】
【特許文献１】
特開2000-227880号公報（段落番号0004、図２）
【０００８】
【課題を解決するための手段・作用・効果】
本発明は、上記課題を有効に解決するために創案されたものであって、「携帯機器に電力を供給するバッテリ」および「携帯機器とデータ交信を行なう記録部」の両者の機能を一体化できる構成を提供し、それにより、携帯機器の薄型化に資するものである。本発明における“携帯機器”としてはデジタルカメラや、撮影機能付き携帯電話器が代表的であるが、それらに限定されるものではない。
【０００９】
【発明の実施の形態】
第１実施形態（図２、図３）
本発明を添付の図面を参照して、以下に詳細に説明する。図２は、第１実施形態に係るバッテリ装置を備えたデジタルカメラ１を、正面側から見た斜視図である。デジタルカメラ１は、図１に示したズームレンズ機構を備えており、その入射窓101が右上コーナ部に位置している。
【００１０】
図３は、バッテリ装置の装着方法を説明する後方斜視図である。本発明のバッテリ装置は、装置本体10に対して、記録媒体20を着脱可能に取り付けることができる。記録媒体20は、撮影されたデジタル画像を記録するものであり、デジタルカメラ１との間でデータ交信を行なうためのデータ交信用接続端子21を外表面に備えている。
バッテリ装置本体10は、記録媒体20を保持する保持部をその外表面に備えていて、ここに記録媒体20が着脱可能に保持される。また、デジタルカメラ１に対して電力を供給するための電源接続用接続端子11がバッテリ装置本体10の外表面に設けられている。
【００１１】
なお、図３では、バッテリ装置本体10に記録媒体20を取り付けたときに、電源接続用接続端子11とデータ交信用接続端子21とが同一面に配置されるように構成しているが、両接続端子を互いに反対側の面に設けてもよい。例えば、電源接続用接続端子11を、図３における配置面とは反対側の紙面向こう側の面に配置すればよい。デジタルカメラ１内部側に設ける端子配列を単純化する上では、図３に示したように両接続端子を同一面に配置することが好ましい。
【００１２】
第１実施形態に係るバッテリ装置では、バッテリ装置本体10に装着された記録媒体20は、その外表面が装置本体10の外表面と面一になっていて、かつ、記録媒体のデータ交信用接続端子21が外部に露出するように保持されている。
装置本体10と記録媒体20とが面一になっているので、デジタルカメラ１側のバッテリスロットの構造を単純化できる。また、保持された記録媒体のデータ交信用接続端子21が外部に露出しているので、バッテリ装置全体をバッテリスロットに差し込んで装着するだけで、それと同時に、接続端子21とデジタルカメラ１内部側の端子との接続が完了して、データ交信が可能となる。
【００１３】
第２実施形態（図４）
図４は、第２実施形態に係るバッテリ装置を説明するもので、図３と同様にデジタルカメラ１を後方から見た斜視図である。第２実施形態に係るバッテリ装置は、記録媒体保持部が記録媒体20をスロット式に受け入れる点において、第１実施形態と異なる。
【００１４】
バッテリ装置本体30の外表面には、電源接続用接続端子31と隣接する位置に記録媒体用接続端子32が配置されている。記録媒体20は、スロット式に受け入れられるので、その端子21は装置本体30内に位置することとなる。このため、スロット内に保持された記録媒体のデータ交信用接続端子21に導通する接続端子32を装置本体30の表面に配置している。すなわち、保持された記録媒体20は、記録媒体用接続端子32を介して、デジタルカメラ１との間でデータ交信を行なう。
【００１５】
薄型化によるメリット（図５）
本発明によりデジタルカメラ１等の携帯機器の薄型化が達成できることを図５を参照して説明する。図５(ａ)は、デジタルカメラに図４のバッテリ装置を装着した場合を示す縦断面図である。一方、図５(ｂ)は、バッテリ130とメモリカード120とが別々のスロットに挿入される従来例に係るカメラについて、対応する断面図を示したものである。
両者を比較すれば明らかなように、本発明においては、独立した別個のメモリーカードが省略され、また、バッテリ装置とメモリーカードとの間にスペースを確保する必要がない分だけ、カメラ全体としての薄型化が達成されている。
【００１６】
ブロック図による説明
次に、本発明のバッテリ装置について、ブロック図を用いて従来例との比較により説明する。
【００１７】
従来例のブロック図（図６）
図６は、バッテリ装置とメモリーカード(記録媒体)とを別々のスロットに差し込むよう構成されたデジタルカメラを説明するブロック図である。
矢印方向から装填されたバッテリ130は、カメラに内蔵されたバッテリ端子132を介して、ＤＣ/ＤＣコンバータ133に電力を供給する。ＤＣ/ＤＣコンバータ133は、バッテリ130から供給された電力を、カメラで使用する複数の安定電源に変換して出力する。
矢印方向から装填されたメモリカード120は、カメラに内蔵されたメモリカード端子136を介して、Ｉ/Ｆ137に接続されている。一方、ＣＣＤに取り込まれた撮影画像は、デジタル画像処理部で処理された後、Ｉ/Ｆ137を介してメモリカード120に記録される。また、再生時には、メモリカード120に記録された画像がＩ/Ｆ137を介して取り出されて、ＬＣＤに表示される。
【００１８】
本発明のブロック図（図７）
一方、図７は、図６に示したブロック図の「バッテリ、メモリカード部」に対応する部分を示している。他の部分の構成は、図６の場合と同じである。メモリカード20を保持したバッテリ装置本体10(30)を矢印方向から挿入すると、それと同時に、カメラに内蔵された端子134を介して、ＤＣ/ＤＣコンバータ133およびＩ/Ｆ137との接続が達成される。
【００１９】
携帯電話器への適用例（図８）
図８は、図４に示したバッテリ装置を携帯電話器50に適用した例である。携帯電話器50は、ＬＣＤ表示部51の裏側に不図示の撮像機構を備えていて、撮影された画像データが記録媒体20に記録される。バッテリ装置の構造および薄型化という効果については、携帯電話器に適用した場合も、デジタルカメラに適用した場合も同じである。
【００２０】
第３実施形態（図９）
次に図９を参照して、第３実施形態に係るバッテリ装置を説明する。図９は、図７のブロック図におけるバッテリ本体10(30)に対応している。
【００２１】
第３実施形態のバッテリ装置は、記録媒体が着脱可能に保持される第１実施形態および第２実施形態とは異なり、メモリ部分がバッテリ装置から分離不能としている。この実施形態では、メモリカードの外装を省略することができる分だけ、薄型化という点において有利である。一方、第１および第２実施形態では、汎用のメモリカードを交換して使用できるので、一度に多数の画像を記録したい場合に有利である。
【００２２】
バッテリ装置70は、その内部にバッテリ部80とメモリ部90とを備え、メモリ部90は装置本体から取り外すことはできない。バッテリ部80は、バッテリ装置本体に設けた電源接続用端子81を介して、携帯機器に電力を供給し、あるいは充電される。
【００２３】
メモリ部分90は、ＲＯＭ93に記憶された動作プログラムに従ってＣＰＵ92により制御される。バッテリ装置本体にはデータ交信用接続端子91が設けられていて、ＣＰＵ92は、Ｉ/Ｆ96を介して端子91に接続されている。なお、Ｉ/Ｆを介在させることなく、ＣＰＵ92と端子91とを直接接続してもよい。
撮影画像は、フラッシュメモリ94に記録される。ＳＲＡＭ95は、入出力用データや演算途中のデータを一時保管するのに使用される。
【図面の簡単な説明】
【図１】カメラの縦方向にレンズ群が移動するズームレンズ鏡筒の縦断面図である。
【図２】本発明の第１実施形態に係るバッテリ装置を装着するデジタルカメラの前方斜視図である。
【図３】図２のデジタルカメラの後方斜視図である。
【図４】本発明の第２実施形態に係るバッテリ装置の装着方法を説明する、デジタルカメラの後方斜視図である。
【図５】本発明による薄型化のメリットを従来例と比較して説明する説明図である。
【図６】バッテリ装置とメモリーカードとが別々に装着される従来のデジタルカメラを説明するブロック図である。
【図７】本発明のバッテリ装置を説明するブロック図である。
【図８】図４に示したバッテリ装置を携帯電話器に適用した例を示す斜視図である。
【図９】バッテリ部とメモリ部とが一体不可分に構成された第３実施形態に係るバッテリ装置を説明するブロック図である。
【符号の説明】
１  カメラ本体
３  光学ファインダ
４  フラッシュ発光部
５  レリーズボタン
６  スロット蓋
７  ファインダブロック
８  ＬＣＤ表示部
９  フラッシュ用コンデンサ
10  バッテリ装置本体
11  電源接続用接続端子
20  記録媒体
21  データ交信用接続端子
30  バッテリ装置装置本体
31  電源接続用接続端子
32  記録媒体用接続端子
50  携帯電話器
51  ＬＣＤ表示部
101  入射窓
【図１】
2004213925.tif 000003
【図２】
2004213925.tif 000004
【図３】
2004213925.tif 000005
【図４】
2004213925.tif 000006
【図５】
2004213925.tif 000007
【図６】
2004213925.tif 000008
【図７】
2004213925.tif 000009
【図８】
2004213925.tif 000010
【図９】
2004213925.tif 000011